(57)【要約】【課題】接続が容易で引き抜け難い。【解決手段】同軸ケーブルの端部に装着する同軸ケーブル用Ｆ型コネクタにおいて，同軸ケーブルを装着するための筒状のコネクタ本体と，該コネクタ本体の前方に形成された筒状嵌合部に回転可能に連結する連結部を後方に，接続対象のＦ型レセプタクルに形成した雄ネジの先端部分に螺合するための雌ネジを後方内部に備えた接続筒と，該接続筒の内面で前記雌ネジと前記接続筒の開口部との間に保持され，前記Ｆ型レセプタクルの雄ネジ部と挟着するための，接続筒の中心方向に向かって突設された複数のスプリング部が形成された筒状スプリングと，を備え，前記スプリング部は，前記筒状スプリングの前方開口端側の周面に等間隔に複数個と後方開口端側の周面に等間隔に複数個が配列される。前記接続筒に形成された雌ネジは，前記Ｆ型レセプタクルの雄ネジの先端部に略３回転で螺合するネジ山数にした。【選択図】  図２
2007122929.tif 000002
【特許請求の範囲】
【請求項１】
同軸ケーブルの端部に装着する同軸ケーブル用Ｆ型コネクタにおいて，
同軸ケーブルを装着するための筒状のコネクタ本体と，
該コネクタ本体の前方に回転可能に連結され，接続対象のＦ型レセプタクルに形成した雄ネジの先端部分に螺合するための雌ネジを後方内面に備えた接続筒と，
該接続筒の内面で前記雌ネジと前記接続筒の前方側開口部との間に保持され，前記Ｆ型レセプタクルの雄ネジと挟着するための，接続筒の中心方向に向かって突設された複数のスプリング部が形成された筒状スプリングと，を備え，
前記スプリング部は，前記筒状スプリングの前方開口端側の周面に等間隔に複数個と後方開口端側の周面に等間隔に複数個とが相互に離れた位置に配列するように形成され，
前記接続筒に形成された雌ネジは，前記Ｆ型レセプタクルの雄ネジの先端部との間において略３回転螺合するようなネジ山数に形成され，
たことを特徴とした同軸ケーブル用Ｆ型コネクタ。
【請求項２】
前記同軸ケーブル用Ｆ型コネクタを前記Ｆ型レセプタクルに螺合した状態で，該Ｆ型レセプタクルの先端面と前記コネクタ本体の前方端面とが当接するように構成した，
ことを特徴とした請求項１に記載の同軸ケーブル用Ｆ型コネクタ。
【請求項３】
前記Ｆ型レセプタクルの先端面と，前記コネクタ本体の前方端面との間に導電性弾性材料からなる接続部材を設け，前記同軸ケーブル用Ｆ型コネクタを前記Ｆ型レセプタクルに螺合した状態で，該Ｆ型レセプタクルの先端面と前記コネクタ本体の前方端面とで前記接続部材を挟着するように構成した，
ことを特徴とした請求項１又は請求項２の何れか一項に記載の同軸ケーブル用Ｆ型コネクタ。
【請求項４】
前記接続筒の一部若しくは全ての外形形状を，断面略六角形状にしたことを特徴とした請求項１乃至請求項３の何れか一項に記載の同軸ケーブル用Ｆ型コネクタ。
【請求項５】
前記接続筒の外周面の一部若しくは全てに，ローレットを形成したことを特徴とした請求項１乃至請求項４の何れか一項に記載の同軸ケーブル用Ｆ型コネクタ。
【請求項６】
前記コネクタ本体は，同軸ケーブルを挿入して装着する筒状のコネクタ外環と，前記コネクタ外環内に装着する同軸ケーブルの内部絶縁体と外部導体との間に挿入されるスリーブ体と，同軸ケーブルの抜脱を阻止する抜け止め具と，から成り，
前記接続筒は，前記コネクタ本体の前面に該接続筒を嵌合保持するように形成された筒状嵌合部に回転可能に嵌合保持され，
前記筒状嵌合部には，装着した同軸ケーブルの内部絶縁体及び中心導体を挿通する挿通孔がスリーブ体から連続形成され，装着した同軸ケーブルの中心導体を前記挿通孔から突出させて，前記接続筒の中心軸上に配置させるように構成され，
前記抜け止め具は，前記コネクタ本体内に，コネクタ本体に対する軸線方向の移動と該軸線を中心軸とする回転とを阻止して固定する係止手段を備えた，コネクタ本体と同一中心軸を有するように内設するリング形状の係止部と，
該係止部からコネクタ本体の中心軸方向へ向けて突設した複数の爪部と，で構成され，
同軸ケーブル端部を記前記コネクタ本体内へ後方から挿入操作することで，前記抜け止め具に形成された前記爪部が前記同軸ケーブル周囲を咬持して，同軸ケーブルの抜脱を阻止すると共に回転を阻止して装着できる，
ことを特徴とした請求項１乃至請求項５の何れか一項に記載の同軸ケーブル用Ｆ型コネクタ。
【請求項７】
挿入した同軸ケーブルの回転を阻止するための回転阻止手段を備えた請求項６に記載の同軸ケーブル用Ｆ型コネクタ。
【請求項８】
所定長の同軸ケーブルの両端部に同軸ケーブル用Ｆ型コネクタを備えたテレビ接続ケーブルにおいて，
該同軸ケーブル用Ｆ型コネクタは請求項１乃至請求項７の何れか一項に記載のＦ型コネクタで構成したことを特徴としたテレビ接続ケーブル。
【請求項９】
外部から同軸ケーブルを装着する同軸ケーブル用Ｆ型コネクタと同軸ケーブル用Ｆ型レセプタクルを混在して有する電子機器用箱体において，
該同軸ケーブル用Ｆ型コネクタは請求項１乃至請求項８の何れか一項に記載のＦ型コネクタで構成したことを特徴とした電子機器箱体。
【発明の詳細な説明】
【技術分野】
【０００１】
本発明は，主にテレビ受信に使用される同軸ケーブル用のＦ型コネクタであり，詳しくは同軸ケーブルの端部に取付けられ，接続対象のＦ型レセプタクルとの接続に利用される同軸ケーブル用Ｆ型コネクタの構造に関する。
【背景技術】
【０００２】
従来，同軸ケーブルの端部に装着する同軸ケーブルＦ型コネクタとしては，同軸ケーブルの編組導体と接続されるケーブル連結部と，当該ケーブル連結部の基端部に軸方向に移動可能に且つ円周方向に回転可能に枢着したリング状係合部と，前記ケーブル連結部と前記係合部との間の弾性緩衝作用を行う弾性部材とを有し，前記係合部には端面近傍の内方に突設させた係止片を備え，当該係止片をＦ型コネクタ座のネジ面に設けた導入部，誘導部及び係止部の一連からなる溝に係合させて接続する構成となっていたので，この同軸ケーブルＦ型コネクタは前記リング状係合部を回転操作するだけでＦ型コネクタ座に接続でき，しかも強固に取付けできた。また，前記ケーブル連結部と係合部との間に設けた弾性部材による弾性緩衝作用によって円滑に脱着操作が行える構成となっていた。
（例えば，特許文献１参照）
【０００３】
【特許文献１】特許３０３４５３４号公報
【発明の開示】
【発明が解決しようとする課題】
【０００４】
しかし，従来の同軸ケーブルＦ型コネクタによると，リング状係合部の端面の内方に係止片を設けたことにより，この同軸ケーブルＦ型コネクタは取付けられるコネクタ座に係止用の溝が必要であり専用のＦ型コネクタ座でないと取付けができないことになり，前記Ｆ型コネクタ座は他の構成の同軸ケーブルＦ型コネクタを受け入れることが出来る汎用性を有していても，この実施例に示す同軸ケーブルＦ型コネクタは汎用性の点で問題があった。
また，接続の操作性の向上と，接続後の取付け強度向上のために備えられた弾性部材は，止リングによって保持された皿ばねや，Ｆ型コネクタ座の先端面に当接する菊型ばねと言った複数の構成部品から構成されているので，構造が複雑になると共に，延いては製品のコストアップになるといった問題があった。
そこで本願においては，こうした問題点を解決するためになされたものであり，
その目的は，接続対象のＦ型コネクタに対して接続作業が容易で確実に接続できる同軸ケーブルＦコネクタを提供することにある。
他の目的は，コストの安い同軸ケーブルＦコネクタを提供することにある。
他の目的は，固着力の優れた接続を行うことのできる同軸ケーブルＦコネクタを提供することにある。
他の目的は，同軸ケーブルを引っ張っても抜け難い同軸ケーブルＦコネクタを提供することにある。
他の目的は，高周波特性の優れた同軸ケーブルＦコネクタを提供することにある。
他の目的は，イミュニティーの優れた同軸ケーブルＦコネクタを提供することにある。
他の目的は，一般的なコネクタ座に簡単且つ強固に取付け可能な同軸ケーブルＦコネクタを提供することにある。
他の目的は，同軸ケーブルの端部に簡単に接続できる同軸ケーブルＦコネクタを提供することにある。
他の目的は，一般的なコネクタ座に操作ミスなく取付け可能な同軸ケーブルＦコネクタを提供することにある。
他の目的は，上記作用効果を有する同軸ケーブルＦ型コネクタを両端に備えたテレビ接続ケーブルを提供する事に有る。
他の目的は，上記作用効果を有する同軸ケーブルＦ型コネクタを備えた電子機器箱体を提供する事に有る。
【課題を解決するための手段】
【０００５】
上記課題を解決するために，請求項１の発明は，同軸ケーブルの端部に装着する同軸ケーブル用Ｆ型コネクタにおいて，同軸ケーブルを装着するための筒状のコネクタ本体と，  該コネクタ本体の前方に回転可能に連結され，接続対象のＦ型レセプタクルに形成した雄ネジの先端部分に螺合するための雌ネジを後方内面に備えた接続筒と，該接続筒の内面で前記雌ネジと前記接続筒の前方側開口部との間に保持され，前記Ｆ型レセプタクルの雄ネジと挟着するための，接続筒の中心方向に向かって突設された複数のスプリング部が形成された筒状スプリングと，を備え，前記スプリング部は，前記筒状スプリングの前方開口端側の周面に等間隔に複数個と後方開口端側の周面に等間隔に複数個とが相互に離れた位置に配列するように形成され，前記接続筒に形成された雌ネジは，前記Ｆ型レセプタクルの雄ネジの先端部との間において略３回転螺合するようなネジ山数に形成した。
【０００６】
請求項２の発明は，請求項１に記載の同軸ケーブル用Ｆ型コネクタにおいて，前記同軸ケーブル用Ｆ型コネクタを前記Ｆ型レセプタクルに螺合した状態で，該Ｆ型レセプタクルの先端面と前記コネクタ本体の前方端面とが当接するように構成した。
【０００７】
請求項３の発明は，請求項１又は請求項２の何れか一項に記載の同軸ケーブル用Ｆ型コネクタにおいて，前記Ｆ型レセプタクルの先端面と，前記コネクタ本体の前方端面との間に導電性弾性材料からなる接続部材を設け，前記同軸ケーブル用Ｆ型コネクタを前記Ｆ型レセプタクルに螺合した状態で，該Ｆ型レセプタクルの先端面と前記コネクタ本体の前方端面とで前記接続部材を挟着するように構成した。
【０００８】
請求項４の発明は，請求項１乃至請求項３の何れか一項に記載の同軸ケーブル用Ｆ型コネクタにおいて，前記接続筒の一部若しくは全ての外形形状を，断面略六角形状にした。
【０００９】
請求項５の発明は，請求項１乃至請求項４の何れかに記載の同軸ケーブル用Ｆ型コネクタにおいて，前記接続筒の外周面の一部若しくは全てに，ローレットを形成した。
【００１０】
請求項６の発明は，前記コネクタ本体は，同軸ケーブルを挿入して装着する筒状のコネクタ外環と，前記コネクタ外環内に装着する同軸ケーブルの内部絶縁体と外部導体との間に挿入されるスリーブ体と，同軸ケーブルの抜脱を阻止する抜け止め具と，から成り，前記接続筒は，前記コネクタ本体の前面に該接続筒を嵌合保持するように形成された筒状嵌合部に回転可能に嵌合保持され，前記筒状嵌合部には，装着した同軸ケーブルの内部絶縁体及び中心導体を挿通する挿通孔がスリーブ体から連続形成され，装着した同軸ケーブルの中心導体を前記挿通孔から突出させて，前記接続筒の中心軸上に配置させるように構成され，前記抜け止め具は，前記コネクタ本体内に，コネクタ本体に対する軸線方向の移動と該軸線を中心軸とする回転とを阻止して固定する係止手段を備えた，コネクタ本体と同一中心軸を有するように内設するリング形状の係止部と，該係止部からコネクタ本体の中心軸方向へ向けて突設した複数の爪部と，で構成され，同軸ケーブル端部を記前記コネクタ本体内へ後方から挿入操作することで，前記抜け止め具に形成された前記爪部が前記同軸ケーブル周囲を咬持して，同軸ケーブルの抜脱を阻止すると共に回転を阻止して装着できるように構成した。
【００１１】
請求項７の発明は，請求項６に記載の同軸ケーブル用Ｆ型コネクタにおいて，挿入した同軸ケーブルの回転を阻止するための回転阻止手段を備えた。
【００１２】
請求項８の発明は，所定長の同軸ケーブルの両端部に同軸ケーブル用Ｆ型コネクタを備えたテレビ接続ケーブルにおいて，該同軸ケーブル用Ｆ型コネクタは請求項１乃至請求項７の何れか一項に記載のＦ型コネクタで構成した。
【００１３】
請求項９の発明は，外部から同軸ケーブルを装着する同軸ケーブル用Ｆ型コネクタと同軸ケーブル用Ｆ型レセプタクルを混在して有する電子機器用箱体において，該同軸ケーブル用Ｆ型コネクタは請求項１乃至請求項８の何れか一項に記載のＦ型コネクタで構成した。
【発明の効果】
【００１４】
上記課題を解決するために，請求項１の発明によれば，同軸ケーブルの端部に装着する同軸ケーブル用Ｆ型コネクタにおいて，同軸ケーブルを装着するための筒状のコネクタ本体と，該コネクタ本体の前方に回転可能に連結され，接続対象のＦ型レセプタクルに形成した雄ネジの先端部分に螺合するための雌ネジを後方内面に備えた接続筒と，該接続筒の内面で前記雌ネジと前記接続筒の前方側開口部との間に保持され，前記Ｆ型レセプタクルの雄ネジと挟着するための，接続筒の中心方向に向かって突設された複数のスプリング部が形成された筒状スプリングと，を備え，前記スプリング部は，前記筒状スプリングの前方開口端側の周面に等間隔に複数個と後方開口端側の周面に等間隔に複数個とが相互に離れた位置に配列するように形成され，前記接続筒に形成された雌ネジは，前記Ｆ型レセプタクルの雄ネジの先端部との間において略３回転螺合するようなネジ山数に形成した。
これによれば，接続対象であるＦ型レセプタクルへの接続が，接続筒の挿入操作（第１ステップ）と接続筒２の回転操作（第２ステップ）によって行うので，接続筒内周全面に雌ネジを形成したものと比べると，その接続作業の工数を大幅に低減できるばかりでなく，簡単な接続操作であっても接続後の同軸ケーブルの引っ張り力に対して引き抜け難いＦ型コネクタを提供できるのである。更に本発明の構成であれば，接続対象に雌ねじが形成されたＦ型レセプタクルであれば，何れのＦ型レセプタクルにも対応可能な汎用性の高いＦ型コネクタを提供できる。
更に，接続操作の第１ステップである接続筒２の挿入操作時には，接続筒内部に設けられた筒状スプリングの前方側に円形状に配列されたスプリング部と，後方側に円形状に配列されたスプリング部が，Ｆ型レセプタクルの前後２点を外周から中心に向かう均等の弾性力によって包み込むように挟着されることから，前記筒所スプリングの中心軸線（即ち，接続筒の中心軸線）とＦ型レセプタクルの中心軸線が相互にぶれることなく同一軸線上となる状態を維持しながら確実に挿入操作することができるので，続く回転作業において雌ネジと雄ネジとが噛んでしまってネジの螺合操作ができないと言ったことがなくなり，接続作用の容易性をさらに向上するばかりでなく，接続作業時間の更なる削減ができるのである。
【００１５】
請求項２の発明によれば，請求項１に記載の同軸ケーブル用Ｆ型コネクタにおいて，前記同軸ケーブル用Ｆ型コネクタを前記Ｆ型レセプタクルに螺合した状態で，該Ｆ型レセプタクルの先端面と前記コネクタ本体の前方端面とが当接するように構成した。
これによれば，優れた高周波特性を有すると共に，妨害電波などに対するイミュニティー特性の優れた同軸ケーブル用Ｆ型コネクタとなる。
【００１６】
請求項３の発明によれば，請求項１又は請求項２の何れか一項に記載の同軸ケーブル用Ｆ型コネクタにおいて，前記Ｆ型レセプタクルの先端面と，前記コネクタ本体の前方端面との間に導電性弾性材料からなる接続部材を設け，前記同軸ケーブル用Ｆ型コネクタを前記Ｆ型レセプタクルに螺合した状態で，該Ｆ型レセプタクルの先端面と前記コネクタ本体の前方端面とで前記接続部材を挟着するように構成した。
これによれば，接続対象のＦ型レセプタクル先端面の成形具合に影響されずに該Ｆ型レセプタクル先端面とコネクタ本体との接触が良くなるので，優れた高周波特性を有すると共に，妨害電波などに対するイミュニティー特性の優れた同軸ケーブル用Ｆ型コネクタとなる。また，接続部材の弾性力によってコネクタが振動等によって緩むことが防止できるのである。
【００１７】
請求項４の発明によれば，請求項１乃至請求項３の何れか一項に記載の同軸ケーブル用Ｆ型コネクタにおいて，前記接続筒の一部若しくは全ての外形形状を，断面略六角形状にした。
これによれば，指先でも簡単に接続筒の回転操作をして螺合することができるし，レンチやスパナ等の一般的に市販されている工具でもって更に確実に固着することができるのである。
【００１８】
請求項５の発明によれば，請求項１乃至請求項４の何れかに記載の同軸ケーブル用Ｆ型コネクタにおいて，前記接続筒の外周面の一部若しくは全てに，ローレットを形成した。
これによれば，指先でも簡単に回転操作をすることができる。
【００１９】
請求項６の発明によれば，前記コネクタ本体は，同軸ケーブルを挿入して装着する筒状のコネクタ外環と，前記コネクタ外環内に装着する同軸ケーブルの内部絶縁体と外部導体との間に挿入されるスリーブ体と，同軸ケーブルの抜脱を阻止する抜け止め具と，から成り，前記接続筒は，前記コネクタ本体の前面に該接続筒を嵌合保持するように形成された筒状嵌合部に回転可能に嵌合保持され，前記筒状嵌合部には，装着した同軸ケーブルの内部絶縁体及び中心導体を挿通する挿通孔がスリーブ体から連続形成され，装着した同軸ケーブルの中心導体を前記挿通孔から突出させて，前記接続筒の中心軸上に配置させるように構成され，前記抜け止め具は，前記コネクタ本体内に，コネクタ本体に対する軸線方向の移動と該軸線を中心軸とする回転とを阻止して固定する係止手段を備えた，コネクタ本体と同一中心軸を有するように内設するリング形状の係止部と，該係止部からコネクタ本体の中心軸方向へ向けて突設した複数の爪部と，で構成され，同軸ケーブル端部を記前記コネクタ本体内へ後方から挿入操作することで，前記抜け止め具に形成された前記爪部が前記同軸ケーブル周囲を咬持して，同軸ケーブルの抜脱を阻止すると共に回転を阻止して装着できるように構成した。
これによれば，接続対象のＦ型レセプタクルに対する接続状態は上記と同じ効果を有するのであるが，このＦ型コネクタに対する同軸ケーブルの装着は，コネクタ本体に同軸ケーブルの抜脱を阻止する抜け止め具が備えられることによって，同軸ケーブル端部を該コネクタ本体内へ後方から挿入操作するだけで，同軸ケーブルの周囲が咬持され同軸ケーブルを引き抜け難く接続可能となるといった，組付け性に関しても優れた利便性を有する。
【００２０】
請求項７の発明によれば，請求項６に記載の同軸ケーブル用Ｆ型コネクタにおいて，挿入した同軸ケーブルの回転を阻止するための回転阻止手段を備えた。
これによれば，同軸ケーブルの引っ張り方向に対する抜脱を阻止するばかりでなく，同軸ケーブルの回転力に対しても回転し難いＦ型コネクタを提供できるのである。
【００２１】
請求項８の発明によれば，所定長の同軸ケーブルの両端部に同軸ケーブル用Ｆ型コネクタを備えたテレビ接続ケーブルにおいて，該同軸ケーブル用Ｆ型コネクタは請求項１乃至請求項７の何れか一項に記載のＦ型コネクタで構成した。
これによれば，接続対象のＦ型レセプタクルに対して，接続しやすく且つ引き抜け難い，信頼性の高いテレビ接続ケーブルを提供できる。
【００２２】
請求項９の発明によれば，外部から同軸ケーブルを装着する同軸ケーブル用Ｆ型コネクタと同軸ケーブル用Ｆ型レセプタクルを混在して有する電子機器用箱体において，該同軸ケーブル用Ｆ型コネクタは請求項１乃至請求項８の何れか一項に記載のＦ型コネクタで構成した。
これによって，接続対象のＦ型レセプタクルに対して，接続しやすく且つ引き抜け難い信頼性の高い電子機器箱体を提供できる。
【発明を実施するための最良の形態】
【００２３】
以下に，本発明を具体化した実施形態の例を，図面を基に詳細に説明する。
図１は本発明に係る同軸ケーブル用コネクタ（以下，単にコネクタと称する。）の第１実施形態を示し，同軸ケーブルに装着した状態のコネクタの要部を断面で示した説明図及びその一部拡大図を示している。図２はケーブル挿入前の状態を示し，図３は筒状スプリングの（ａ）は正面図であり，（ｂ）はＡ−Ａ線断面図であり，（ｃ）は筒所スプリングの異なる実施例を示す。図４は本発明の第１実施形態の異なる実施例示し，同軸ケーブルに装着した状態のコネクタの要部を断面で示した説明図及びその一部拡大図を示している。図５は図４においてＦ型コネクタとＦ型レセプタクルとの相互に当接する端面の間に接続部材を備えた実施例を示す。図６（ａ）は図１に示す同軸ケーブル用コネクタを，接続対象のレセプタクルに接続した状態を示す説明図およびその一部を破断した拡大図であり，（ｂ）は図５に示す同軸ケーブル用コネクタを，接続対象のレセプタクルに接続した状態を示す説明図およびその一部を破断した拡大図である。
【実施例１】
【００２４】
図１及び図２において，１５は同軸ケーブル（以下，単にケーブルと称する。）に装着する筒状のコネクタ本体であり，２はレセプタクル等の接続対象に接続する接続手段としての接続筒であり，コネクタ本体１５の前方側に回転自在に連結されている。尚，以下，特に明記しない限り接続筒２が取付けられている方向を前方として説明する。
コネクタ本体１５は，装着するケーブル２０の内部絶縁体５と外部導体７の間に挿入するスリーブ体１１と，ケーブルを装着したときにケーブルの端部を当接させるための挿入止着部１２ａを後方側に有する環状部材１２からなる。
環状部材１２は中心に透孔１２ｂを有した環状に成形されており，該透孔１２ｂにコネクタ本体１１を圧入等の固着方法で固着することによって取付けられている。
尚，図において４は中心導体であり，６はアルミ箔，８は保護被覆である。
【００２５】
前記スリーブ体１１は，導電性材料から形成されており，内部に一体的に同一径で形成されている挿通孔１３を有し，外周は先細の後方端部から前方にかけて肉厚を徐々に厚く成るように円錐状に形成されると共に，同軸ケーブル２０に挿入する挿入部１１ａの後方先端部にテーパ状等挿入し易い形状に加工された隆起部１１ｄを全周に備えた挿入先端部１１ｂが形成されており，その挿入部１１ａは，同軸ケーブル２０のアルミラミネート箔６と編組導体７との間に，保護被覆８の端部が挿入止着部１２ａに止着するまで挿入することで同軸ケーブル２０の挿入完了し，その後，固着リング３で圧入固着が行われる。
また，スリーブ体１１前方側の基端周りに形成された溝は，前記接続筒２が嵌め込まれる基端溝１１ｃであり，更にスリーブ体１１の前方には，前記基端溝１１ｃから前方に連設させた前記接続筒２を装着するための細径の筒状嵌合部１６が一体に形成されている。
【００２６】
接続筒２は，前記コネクタ本体１５の前方に形成された筒状嵌合部１６に挿入嵌合する連結孔２ｂを有した連結部２１を後方に備えると共に，接続筒の後方内周には，図６に示される，接続対象のＦ型レセプタクル５０に形成した雄ネジ５２の先端部分に螺合するための雌ネジ２２が形成されている。本発明の実施例におけるコネクタの雌ネジ２２は，コネクタを前記Ｆ型レセプタクル５０に接続するときに，該Ｆ型レセプタクル５０に形成された雄ネジ５２の先端部に略３回転させることで接続が完了するようなネジ山数になるように形成されている。
尚，筒状嵌合部１６は，接続筒２と嵌合した後に先端部１６ａが拡径され，接続筒２を筒状嵌合部１６に回転可能に連結され，接続筒２が抜け落ちることはない。
【００２７】
接続筒２の内面で前記雌ネジ２２と前記接続筒２の開口部２ａとの間には，前記Ｆ型レセプタクル５０の雄ネジ５２を挟着するための筒状スプリング３０装着されている。
本発明における筒状スプリング３０は，導電性を有する弾性材(例えば，板厚０．５ｍｍ前後のばね用のリン青銅)を筒状に成形したものである。そして，図３によく示されるように，この筒所スプリング３０の周面には，筒所スプリング３０の中心方向（即ち，接続筒の中心方向）に向かって突設された複数のスプリング部３２が形成されている。本発明の実施例では，前記スプリング部３２は，前記筒状スプリング３０の前方開口端３０ａ側の周方向に複数個のスプリング部３２ａ・・・と，後方開口端３０ｂ側の周方向に複数個のスプリング部３２ｂ・・・が等間隔に形成されており，この筒状スプリング３０によって，接続筒２を接続対象のＦ型レセプタクル５０に接続した状態で，前記Ｆ型レセプタクル５０の雄ネジ５２と確実に挟着するのである。
尚，本発明における筒所スプリング３０のスプリング部３２は，所謂リーフスプリングと呼ばれる形状になるように形成したものであるが，筒所スプリングの前方開口端側と後方開口端側に相互に離れた位置に配設されておれば，図３（ｃ）のように切起し状に形成したバネであってもよく特に実施例に示す形状に限定されるものではない。
【００２８】
図４は本発明の第１実施例の異なる例を示すものである。この実施例では接続筒２内部から突出する中心導体がコンタクトピン４１からなるように構成されたものである他は，前記第１実施例と同様の構成である。コネクタピン４１は基部において同軸ケーブル２０の中心導体４の先端部に固着されており，更にコンタクトピン４１は，コネクタ本体１１の挿通孔１３の前方に連設して形成された，該挿通孔１３より短径の絶縁体保持孔１４に固着された絶縁体４３に挿入保持されているのである。
【００２９】
また，図５はＦ型コネクタとＦ型レセプタクルとの相互に当接する端面の間に接続部材１９を備えた実施例を示す。この接続部材１９は少なくとも導電性材料から成形されたものである。本発明の接続部材１９は例えばリング状に形成されており，接続筒２内部の雌ネジ２２の後方に，前後方向にはその位置を僅かに移動でき，軸心を回転軸として回転自在となるように所定の方法で係止されて抜け落ちることがない。
即ち，この実施例によれば，Ｆ型コネクタとＦ型レセプタクルを接続した状態において，コネクタ本体１５の前方端面とレセプタクル５０の先端面５０ａとの間で，前記接続部材１９を挟着するように構成されていることから，例えば，Ｆ型レセプタクル５０の先端面５０ａの加工精度が悪くてもコネクタとレセプタクルの接続状態を安定したものとすることができるのである。
この実施例における接続部材１９は，導電性を有する材料から構成されてもよいが，加えて弾性を有するもので形成すれば更によい。
尚，上記実施例に示す同軸ケーブルＦ型コネクタを同軸ケーブルの端部に接続する方法は，特に実施例に示す方法に限定されるものではなく，周知の方法で固着できるようにすればよい。
【００３０】
次に図１に示す第１実施形態の同軸ケーブル用Ｆ型コネクタをＦ型レセプタクルに接続したときの状態について図６（ａ）を用いて説明する。先ず第１ステップとして，接続筒２の開口部２ａからＦ型レセプタクル５０を挿入操作する。このときＦ型レセプタクル５０の周面に形成された雄ネジ５２が，接続筒２に形成された雌ネジ２２に当接するまでスプリング部３２を弾性変形により拡径しながら摺動装着されるのである。
【００３１】
本発明の実施例では，前記スプリング部３２は，前記筒状スプリング３０の前方開口端３０ａ側の周方向に均等間隔で形成された複数個のスプリング部３２ａ・・・と，後方開口端３０ｂ側の周方向に均等間隔で形成された複数個のスプリング部３２ｂ・・・とが，筒状スプリング３０の前後方向に，適宜に離すように配設されていることによって，接続操作の第１ステップである接続筒２の挿入操作時には，前方側のスプリング部３２ａ・・・と，後方側のスプリング部３２ｂ・・・との前後の２点で，Ｆ型レセプタクル５０の外周から中心に向かう均等の弾性力によって包み込むように挟着されながら挿入されるので，前記筒所スプリング３０の中心軸線（即ち，接続筒２の中心軸線）とＦ型レセプタクル５０の中心軸線が相互にぶれることなく同一軸線上となるように確実に挿入操作することができる。
【００３２】
次に第１ステップとしての摺動装着が完了したなら，第２ステップである接続筒２の回転操作によって前記雄ネジ５２と雌ネジ２２とを螺合するのであるが，本発明の実施例では接続筒２をＦ型レセプタクル５０の雄ネジ５２に対して略３回転螺合させることで接続完了となるように雌ネジ２２のネジ山数及びネジ山位置が形成されている共に，この接続完了時点で，前記Ｆ型レセプタクル５０の先端面５０ａが，コネクタ本体１１に形成された筒状嵌合部１６の前方端部１６ａの前方側端面と必ず密着するように，接続筒２の内部の軸線方向寸法が形成されている。また，前記接続筒２の雌ネジ２２を前記Ｆ型レセプタクル５０の雄ネジ５２に螺合し締付けた状態で，前記Ｆ型レセプタクル５０の先端面５０ａと，前記接続筒２の連結孔２ｂの内面側周縁とで，前記コネクタ本体１１に形成された筒状嵌合部１６先端部１６ａを挟着するよう構成されている。
図６（ｂ）には図４に示す接続部材１９を設けた同軸ケーブル用Ｆ型コネクタのＦ型レセプタクルに対する接続状態が示されており，該接続部材１９がＦ型レセプタクル５０の先端面５０ａとコネクタ本体１１の前方側端面との間に挟着されている。
尚，接続筒２の一部若しくは全ての外形形状を，断面略六角形状にすれば，上記のような取付け操作が，指先でも簡単にすることができるし，レンチやスパナ等の一般的に市販されている工具を用いれば，更に確実に固着することができるのである。また，ローレットを備えさせてもよい。
【００３３】
以上，本発明の同軸ケーブル用Ｆ型コネクタによれば，接続対象であるＦ型レセプタクル５０への接続が，接続筒２の挿入操作（第１ステップ）と接続筒２の回転操作（第２ステップ）によって行うので，接続筒内周全面に雌ネジを形成したものと比べると，その接続作業の工数を大幅に低減できるばかりでなく，簡単な接続操作であっても接続後の同軸ケーブルの引っ張り力に対して引き抜け難いＦ型コネクタを提供できるのである。
更に本発明の構成であれば，接続対象に雄ネジが形成されたＦ型レセプタクルであれば何れのＦ型レセプタクルにも対応可能な汎用性の高いＦ型コネクタを提供できるのである。
【００３４】
更に，接続操作の第１ステップである接続筒２の挿入操作時には，前方側に円形状に配列されたスプリング部３２ａ・・・と，後方側に円形状に配列されたスプリング部３２ｂ・・・との，筒状スプリングの前後に適宜に離して形成されたスプリング部が，Ｆ型レセプタクルの前後２点を外周から中心に向かう均等の弾性力によって包み込むように挟着されながら挿入されることから，前記筒所スプリング３０の中心軸線（即ち，接続筒２の中心軸線）とＦ型レセプタクル５０の中心軸線が相互にぶれることなく同一軸線上となるように確実に挿入操作することができるので，続く回転作業において雌ネジ２２と雄ネジ５２とが噛んでしまってネジの螺合操作ができないと言ったことがなくなり，接続作用の容易性をさらに向上するばかりでなく，接続作業時間の更なる削減ができるのである。
【００３５】
更に，本発明の構成であれば，接続対象であるＦ型レセプタクルに接続した状態で，該Ｆ型レセプタクルの周面は前記筒状スプリング３０の前方と後方側に形成されたスプリング部３２ａ・・・，３２ｂ・・・によって挟着されると共に，Ｆ型レセプタクルの先端面は筒状嵌合部１６の前方端部と密着するように接続されることによって，優れた高周波特性を有すると共に，妨害電波などに対するイミュニティー特性の優れた同軸ケーブル用Ｆ型コネクタとなる。
【００３６】
更に加えて，図５に示す如く，これらに示す実施例に，導電性弾性材で形成された前記接続部材１９を，Ｆ型コネクタとＦ型レセプタクルの相互に当接する端面の間に介挿させれば，Ｆ型レセプタクルの先端面の加工精度が悪くてもコネクタとレセプタクルの電気的な接続状態を良好に維持することができる。更には，その接続部材１９の弾性による付勢力がＦ型コネクタとＦ型レセプタクルの相互に当接する端面間に加わることになり，Ｆ型コネクタが振動等によって緩んでしまうことのない信頼性の高い接続ができるのである。
【実施例２】
【００３７】
次に本発明の第２の実施形態として図７乃至図１０を参照して説明する。図７は本発明に係る同軸ケーブル用コネクタ１００（以下，単にコネクタと称する。）の第２実施形態を示し，同軸ケーブルに装着した状態のコネクタの要部を断面で示した説明図及びその一部拡大図を示している。図８はケーブル挿入前の状態を示す。図９は抜け防止具の実施例を示し，（ａ）は正面図，（ｂ）はＢ−Ｂ線断面図である。図１０（ａ）は図８の抜け止め具に対応するケーブル挿通孔の一部拡大斜視図を示し，（ｂ）はその他のケーブル挿通孔の実施例を示す一部拡大斜視図を示す。尚，以下の説明では，上記第１実施形態と同様の構成要素については同一符号を付与し，詳細な説明は省略する。
この実施例は，接続筒２や筒状スプリング３０の構成は第１実施例と同じ構成を有したものであるが，コネクタ本体には同軸ケーブルの抜脱を阻止する抜け止め具が備えられ，同軸ケーブル端部を該コネクタ本体内へ後方から挿入操作するだけで，同軸ケーブル周囲を咬持するように構成されたものである。
【００３８】
図７及び図８において，６５は同軸ケーブルに外嵌する筒状のコネクタ本体，２はレセプタクル等の接続対象に接続する接続筒である。コネクタ本体６５は，装着したケーブルの抜けを防止する抜け止め具１３０，抜け止め具１３０を固定するキャップ１５３，装着するケーブル２０の内部絶縁体５と外部導体７の間に挿入するスリーブ体１１，同軸ケーブル２０を挿入して装着する筒状のコネクタ外環１０とからなる。
この実施例によると，コネクタ本体６５の前方には，前記スリーブ体１１を固着する為の嵌合孔６６が，後方には同軸ケーブルを挿入するためのケーブル挿通孔１４３が形成されている。尚，コネクタ本体６５は円筒形状としてもよいし，他の形状，例えば６角柱形状としてもよい。
【００３９】
抜け止め具１３０は，図９（ａ）の正面図に示すように，略円盤状に形成され，弾性を有する金属，例えばバネ用ステンレスで形成されている。
この抜け止め具１３０は，コネクタ本体６５の中心軸と同一の中心軸を有するリング状の係止部１３０ｂと，該リング状の係止部１３０ｂに内側に係止部１３０ｂの中心線方向に向けて突設させた複数の爪部１３０ａとから成る。
係止部１３０ｂには，１３０ｃで示される係止爪が形成されている。この係止爪１３０ｃは，係止部１３０ｂからコネクタ前方に突出するように係止部の周縁に１又は複数個，折り曲げ形成されている。
尚，この係止爪１３０ｃが請求孔に記載の係止手段であり，係止部１３０ｂと係止爪１３０ｃとで請求孔に記載の係止部を構成している。
爪部１３０ａの先端部の形状は本願の実施例においては台形形状をしているが，ケーブルの挿入を容易とするならば先端分を鋭角的に尖らせてもよいし，更にはケーブルの引き抜き方向の力に対する耐力をより強くするためには，爪部１３０ａが形成する内径が装着するケーブル２０の外径より小さな径で形成され，その先端はケーブル２０に線接触するように，内周がケーブルの径に合わせたアールを設けて形成してもよく，特に限定されるものではなく，ケーブルを保持するに要求される所定の保持力に対して最適な形状をなすようにすればよい。
【００４０】
更には，爪部１３０ａは，図９（ｂ）のＢ−Ｂ線端面図に示すように，コネクタ前方となるコネクタ本体１の内部方向に，折り曲げ角θを例えば約４５°として折り曲げ形成され，抜け止め具１３０全体は前方に窄み形成した略円錐形状としてもよい。
このように折り曲げることで，ケーブルの挿入操作の際爪部１３０ａは容易に拡径するので，挿入操作をスムーズに実施できる。また，このように形成した場合であっても挿入したケーブルに引っ張り応力が加わった場合，爪部１３０ａがケーブルに確実に食い込むので，抜け落ちることがない。
【００４１】
図１０（ａ）に示すように，コネクタ本体６５のコネクタ外環１０の後部に形成されたケーブル挿入口１４３には，前記抜け止め具１３０に対応するように，前記抜け止め具１３０の嵌合部が形成されている。
このケーブル挿入孔１４３には開口部内部に段部１４３ａが形成されている。この段部１４３ａは，周径が前記抜け止め具３の係止部１３０ｂが内接される大きさに形成されていると共に，前記抜け止め具１３０の係止部１３０ｂを段部１４３ａに当接するように載置したときに，前記係止部１３０ｂに備えた係止爪１３０ｃが挿入されて嵌合する嵌合溝１４３ｃが，前記係止爪１３０ｃに対向する位置に形成されている。更にコネクタ外環１０の後方側端部の外周縁には，雄ねじ１４３ｂが形成されている。
１５３は，図８によく示されるように，中心に同軸ケーブルを挿通するための挿通孔１５２を有すると共に，内部には前記コネクタ外環１０の後方側端部に形成された雄ねじに螺合するように形成された雌ねじ１５３ｂが形成され，前記コネクタ外環１０のケーブル挿通孔１４３に着脱自在に構成されたキャップである。このキャップ１５３は，コネクタ抜け止め具１３０をコネクタ本体内に固定するためのものであり，抜け止め具１３０はこのキャップ１５３と段部１４３ａとの間に，軸線方向の移動と，軸線を中心軸とした回転を阻止されて取付けられるのである。
【００４２】
更に，コネクタ本体６５の内面から中心軸方向に向かって，コネクタ本体６５に形成された同軸ケーブルの収納空間の前方から後方部に亘り回転阻止手段としての直線状の帯状突起６７が複数形成されている。この帯状突起６７は，例えば断面形状を四角形状や３角形状に形成されており，本願の実施例では前方側が先端に向けて徐々に低く形成されている。このように，コネクタ本体６５の内部に帯状突起４６５を形成したので，同軸ケーブル挿入操作により，内部絶縁体と外部導体の間にスリーブ体が進入し，保護被覆がスリーブ体周囲にせり上がって行くことになり，帯状突起４５が確実に保護被覆に食い込む。
【００４３】
即ちこの第２実施例に示す同軸ケーブル用Ｆ型コネクタ１００によれば，Ｆ型レセプタクル５０に対する接続は第１実施形態と同じ作用効果を有するばかりでなく，このＦ型コネクタに接続する同軸ケーブルは，その保護被覆がコネクタ本体６５の後方端部において抜け止め具１３０の爪部１３０ａによって咬持されることによって，同軸ケーブルの軸線方向に対する抜脱及び軸線を中心軸とした回転を阻止するように構成された，同軸ケーブルの接続を簡単に行うことができるＦ型コネクタを提供することができるのである。また，コネクタ本体６５の内部に帯状突起６７を備えることによって，同軸ケーブルの先端部は内部からはスリーブ体１１，外部からは帯状突起６７とで挟持されることとなり，更に優れた保持力を有すると共に確実に同軸ケーブルの回転を阻止することができる。
尚，帯状突起は設けなくてもよい。
【００４４】
更に，抜け止め具１３１の係止部１３１ｂは，外周方向に所定の平面部が形成されると共に，この平面部１３１ｂが配設されるコネクタ本体６５内部において，段部１４３ａとキャップ１５３の内面とで，係止部１３１ｂの前後方向への動きが制限されるように形成されているので，ケーブルに大きな応力が加わることによって，係止部１３１ｂが前方向にも後方向にも反り返ることがないので係止部１３１ｂが変形することがなく，抜け止め具１３０の爪部１３１ａの折り曲げ角θは維持され，良好に咬持動作する。
加えて，前記係止爪１３０ｃと嵌合溝１４３ａとで抜け止め具の回転をも阻止されることに成り，同軸ケーブルに対する引っ張り力に対して強いばかりでなく，同軸ケーブルに加わる回転力に対しても信頼性の高い取付け性を有する。
【００４５】
更に加えて，この実施例においては，抜け止め具の固定用キャップが着脱自在に構成されていることから，コネクタの出荷の時点で，キャップをケーブル挿通孔に螺合した状態にしておけば，ユーザーは同軸ケーブルを挿入操作することで簡単且つ素早く取付することができるのであるが，もしこの取付作業においてケーブルの挿着ミスがあった場合，一般的な工具を使ってキャップを取り外すことができ，これによって抜け止め具を簡単にコネクタ本体から取り外すことができ，同軸ケーブルの再装着が簡単にできるのである。また，長期的な使用を考えると，システムの変更等による同軸ケーブルの再配線にも簡単に対応できるのである。
尚，本発明は上記実施の形態に限定されるものではなく，本発明の趣旨を逸脱しない範囲で各部の構成を適宜に変更して実施することも可能である。また，図１１（ａ）に示すように可曲性のよいしなやかな細径の同軸ケーブルを用いたテレビ接続ケーブルに応用しても良いし，（ｂ）に示すような例えば分岐器や分配器に利用される電子機器箱体に応用してもよい。 
【図面の簡単な説明】
【００４６】
【図１】本発明に係る同軸ケーブル用コネクタ（以下，単にコネクタと称する。）の第１実施形態を示し，同軸ケーブルに装着した状態のコネクタの要部を断面で示した説明図及びその一部拡大図を示している。
【図２】図１のケーブル挿入前の状態を示す。
【図３】筒状スプリングの（ａ）は正面図であり，（ｂ）はＡ−Ａ線断面図であり，（ｃ）は筒所スプリングの異なる実施例を示す。
【図４】本発明の第１実施形態の異なる実施例示し，同軸ケーブルに装着した状態のコネクタの要部を断面で示した説明図及びその一部拡大図を示している。
【図５】図４においてＦ型コネクタとＦ型レセプタクルとの相互に当接する端面に接続部材を備えた実施例を示す。
【図６】（ａ）は図１の同軸ケーブル用コネクタを接続対象のレセプタクルに接続した状態を示す説明図およびその一部を破断した拡大図であり，（ｂ）は図５の同軸ケーブル用コネクタを接続対象のレセプタクルに接続した状態を示す説明図およびその一部を破断した拡大図であり
【図７】本発明に係る同軸ケーブル用コネクタ（以下，単にコネクタと称する。）の第２実施形態を示し，同軸ケーブルに装着した状態のコネクタの要部を断面で示した説明図及びその一部拡大図を示している。
【図８】図７のケーブル挿入前の状態を示す。
【図９】抜け防止具の実施例を示し，（ａ）は正面図，（ｂ）はＢ−Ｂ線断面図である。
【図１０】（ａ）は図８の抜け止め具に対応するケーブル挿通孔の一部拡大斜視図を示し，（ｂ）はその他のケーブル挿通孔の実施例を示す一部拡大斜視図を示す。
【図１１】（ａ）はテレビ接続ケーブルの概略構成を示す正面図である。（ｂ）は分波器などに代表される電子回路を収納するための電子機器箱体の概略構成を示す正面図である。
【符号の説明】
【００４７】
１…同軸ケーブル用Ｆ型コネクタ，２…接続筒，２ａ…開口部（前方側），２ｂ…連結孔，３…固着リング，４…中心導体，５…内部絶縁体，６…アルミ箔，７…外部導体，８…保護被覆，１０…コネクタ外環，１１…スリーブ体，１１ａ…挿入部，１１ｂ…挿入先端部，１１ｃ…基端溝，１１ｄ…隆起部，１２…環状部材，１２ａ…挿入止着部，１２ｂ…透孔，１３…透孔，１４…絶縁体保持孔，１５…コネクタ本体，１６…筒所嵌合部，１６ａ…先端部，１９…接続部材，２０…同軸ケーブル，２１…連結部，２２…雌ネジ，３０…筒所スプリング，３０ａ…前方開口部，３０ｂ…後方開口部，３２…スプリング部，４１…コンタクトピン，４３…絶縁体，５０…同軸ケーブル用Ｆ型レセプタクル，５０ａ…先端面，５２…雄ネジ，６５…コネクタ本体，６２…嵌合孔，６７…帯状突起，１３０…抜け止め具，１３０ａ…爪部，１３０ｂ…係止部，１３０ｃ…係止爪，１４３…ケーブル挿入孔，１４３ａ…段部４，１４３ｂ…雄ねじ，１４３ｃ…嵌合溝，１５２…挿通孔，１５３…キャップ，１５３ｂ…雌ねじ
【図１】
2007122929.tif 000003
【図２】
2007122929.tif 000004
【図３】
2007122929.tif 000005
【図４】
2007122929.tif 000006
【図５】
2007122929.tif 000007
【図６】
2007122929.tif 000008
【図７】
2007122929.tif 000009
【図８】
2007122929.tif 000010
【図９】
2007122929.tif 000011
【図１０】
2007122929.tif 000012
【図１１】
2007122929.tif 000013